(57)【要約】      （修正有）【課題】無包装やフィルム包装のティッシュ積層体の詰め替えを容易にし、ティッシュペーパーの残量が少なくなっても連続取り出しを可能にし、簡単な構造で繰り返し使用できる組立式のティッシュペーパー詰め替え収納箱を提供する。【解決手段】天板部１Ａにティッシュペーパー取り出し口２１Ａを設け、天板部１Ａの端所に爪２２Ａ、２２Ａ´を設け、天板部１Ｂにティッシュペーパー取り出し口２１Ｂを設け、天板部１Ｂの端所に爪２２Ｂ、２２Ｂ´設け、折り返し幅面５Ａに爪受け孔２３Ａ、２４Ａ、２３Ｂ´、２４Ｂ´を設け、折り返し幅面５Ｂに爪受け孔２３Ａ´、２４Ａ´、２３Ｂ、２４Ｂを設け、折り返し幅面５Ａに爪受け緩衝片２５Ａと、折り返し幅面５Ｂに爪受け緩衝片２５Ｂを設け、爪受け緩衝片２５Ａに接する底長面８Ｂに爪受け緩衝片用底面ストッパー２７Ｂと、爪受け緩衝片２５Ｂに接する底長面８Ａに爪受け緩衝片用底面ストッパー２７Ａを設ける。【選択図】図１
2011162259.tif 000002
【特許請求の範囲】
【請求項１】
天板中央から分割開閉する天板部（１Ａ）にティッシュペーパー取り出し口（２１Ａ）を設け、前記天板部（１Ａ）の端所に爪（２２Ａ）と爪（２２Ａ´）を設け、同じく天板部（１Ｂ）にティッシュペーパー取り出し口（２１Ｂ）を設け、前記天板部（１Ｂ）の端所に爪（２２Ｂ）と爪（２２Ｂ´）設け、折り返し幅面（５Ａ）には前記爪（２２Ａ）を挿通する爪受け孔（２３Ａ）と前記爪（２２Ｂ´）を挿通する爪受け孔（２３Ｂ´）を設け、同じく折り返し幅面（５Ｂ）に前記爪（２２Ａ´）を挿通する爪受け孔（２３Ａ´）と前記爪（２２Ｂ）を挿通する爪受け孔（２３Ｂ）を設けたことを特徴とするティッシュペーパー詰め替え収納箱。
【請求項２】
前記折り返し幅面（５Ａ）の前記爪受け孔（２３Ａ）の下部に爪受け孔（２４Ａ）と前記爪受け孔（２３Ｂ´）の下部に爪受け孔（２４Ｂ´）を設け、同じく前記折り返し幅面（５Ｂ）の前記爪受け孔（２３Ａ´）の下部に爪受け孔（２４Ａ´）と前記爪受け孔（２３Ｂ）の下部に爪受け孔（２４Ｂ）を設けたことを特徴とする請求項１記載のティッシュペーパー詰め替え収納箱。
【請求項３】
前記折り返し幅面（５Ａ）に爪受け緩衝折り曲げ部（２６Ａ）による爪受け緩衝片（２５Ａ）と、前記折り返し幅面（５Ｂ）に爪受け緩衝折り曲げ部（２６Ｂ）による爪受け緩衝片（２５Ｂ）を設けたことを特徴とする請求項１〜請求項２に記載のティッシュペーパー詰め替え収納箱。
【請求項４】
前記爪受け緩衝片（２５Ａ）に接する底長面（８Ｂ）に爪受け緩衝片用底面ストッパー（２７Ｂ）と、前記爪受け緩衝片（２５Ｂ）に接する底長面（８Ａ）に爪受け緩衝片用底面ストッパー（２７Ａ）を設けたことを特徴とする請求項１〜請求項３に記載のティッシュペーパー詰め替え収納箱。
【発明の詳細な説明】
【技術分野】
【０００１】  無包装やフィルム包装のティッシュペーパー積層体の詰め替えを容易にし、ティッシュペーパーの残量が少なくなつても連続取り出しを可能にし、かつ、簡単な構造で繰り返し使用できる組立式のティッシュペーパー詰め替え収納箱に関する。
【背景技術】
【０００２】  近年、省資源化志向として、紙箱を使わず無包装やフィルム包装のティッシュペーパー積層体の提供がされている。これらは、プラスチックや紙製の箱体に収めて使用されることが多いが、省資源の本質からも紙製のティッシュペーパー詰め替え収納箱が望まれている。【０００３】  しかしながら、紙製の箱体であってもティッシュペーパー積層体の詰め替えの際に綿ファスナーの部材を使用して入れる構造で、さらに収納したティッシュペーパー積層体の量が減少した場合に連続取り出しを可能にするため、伸縮部材で取り出し口を上下させる構造が知られている（特許文献１）。【０００４】  また、収納したティッシュペーパー積層体の連続取り出しを可能にするため、箱体の底面の中央部分や、底幅面及び底長面を押し上げる構造が知られているが、ティッシュペーパー積層体の詰め替えに言及したものではなく箱体を解体廃棄するものが知られている（特許文献２）。【０００５】
【特許文献１】実用新案登録第３０７８３９４号
【特許文献２】特開２００８−１４１１公報
【発明の開示】
【発明が解決しようとする課題】
【０００６】  上記従来例の特許文献１記載の紙製収納箱は、ティッシュペーパー積層体の詰め替えの際に側面から入れるもので、収納する紙箱体と綿ファスナーや伸縮部材は紙以外の部材で構成され、製造及び廃棄に手間がかかる欠陥がある。【０００７】  特許文献２記載の紙製収納箱は、収納したティッシュペーパー積層体の連続取り出しを可能にするティッシュペーパー積層体の収納箱であって、詰め替えできない欠点を有する。【０００８】  斯くして、無包装やフィルム包装のティッシュペーパー積層体の詰め替えを極めて円滑容易にし、ティッシュペーパーの残量が少なくなっても整然と連続取り出しを可能にし、かつ、組立式の簡単な構造で繰り返し使用を可能にして、資源の保護に寄与するとともに容易に折り畳みができるようにするために解決すべき技術的課題が生じてくるのであり、本発明は該課題を解決することを目的とする。
【課題を解決するための手段】
【０００９】  本発明は上記目的を達成するために提案されたものであり、請求項１記載の発明は、略立方形に形成された収納箱本体であって、それぞれ相互に対峙する２対の天板中央から分割開閉する天板部（１Ａ）にティッシュペーパー取り出し口（２１Ａ）を設け、前記天板部（１Ａ）の端所に爪（２２Ａ）と爪（２２Ａ´）を設け、同じく天板部（１Ｂ）に爪（２２Ｂ）と爪（２２Ｂ´）設け、折り返し幅面（５Ａ）には前記爪（２２Ａ）を挿通する爪受け孔（２３Ａ）と前記爪（２２Ｂ´）を挿通する爪受け孔（２３Ｂ´）を設け同じく折り返し幅面（５Ｂ）に前記爪（２２Ａ´）を挿通する爪受け孔（２３Ａ´）と記爪（２２Ｂ）を挿通する爪受け孔（２３Ｂ）を設けた構成のティッシュペーパー詰め替え収納箱を提供する。【００１０】  この構成によれば、相互に対峙する天板部（１Ａ）と天板部（１Ｂ）は、前記天板部（１Ａ）の天板折り曲げ部（９Ａ）と前記天板部（１Ｂ）の天板折り曲げ部（９Ｂ）の開閉により、無包装やフィルム包装のティッシュペーパー積層体の詰め替えが可能となる。【００１１】  さらに、前記天板部（１Ａ）の端所に爪（２２Ａ）と爪（２２Ａ´）を設け、同じく天板部（１Ｂ）に爪（２２Ｂ）と爪（２２Ｂ´）設け、折り返し幅面（５Ａ）には前記爪（２２Ａ）を挿通する爪受け孔（２３Ａ）と前記爪（２２Ｂ´）を挿通する爪受け孔（２３Ｂ´）を設け同じく折り返し幅面（５Ｂ）に前記爪（２２Ａ´）を挿通する爪受け孔（２３Ａ´）と記爪（２２Ｂ）を挿通する爪受け孔（２３Ｂ）を設けた構成により、天板部（１Ａ）と天板部（１Ｂ）は円滑に仮固定し、ティッシュペーパー取り出し口（２１Ａ）（２１Ｂ）から安定してティッシュペーパーを取り出すことができる。【００１２】  請求項２記載の発明は、前記折り返し幅面（５Ａ）の前記爪受け孔（２３Ａ）の下部に爪受け孔（２４Ａ）と前記爪受け孔（２３Ｂ´）の下部に爪受け孔（２４Ｂ´）を設け、同じく前記折り返し幅面（５Ｂ）の前記爪受け孔（２３Ａ´）の下部に爪受け孔（２４Ａ´）と前記爪受け孔（２３Ｂ）の下部に爪受け孔（２４Ｂ）を設けた構成のティッシュペーパー詰め替え収納箱を提供する。【００１３】  この構成によれば、無包装やフィルム包装のティッシュペーパー積層体の残量が少なくなつた場合、相互に対峙する天板部（１Ａ）と天板部（１Ｂ）は、前記折り返し幅面（５Ａ）の前記爪受け孔（２３Ａ）の下部に爪受け孔（２４Ａ）と前記爪受け孔（２３Ｂ´）の下部に爪受け孔（２４Ｂ´）を設け、同じく前記折り返し幅面（５Ｂ）の前記爪受け孔（２３Ａ´）の下部に爪受け孔（２４Ａ´）と前記爪受け孔（２３Ｂ）の下部に爪受け孔（２４Ｂ）を設けた構成により、前記天板部（１Ａ）と前記天板部（１Ｂ）は下方に下げることにより円滑に仮固定し、ティッシュペーパー取り出し口（２１Ａ）（２１Ｂ）から安定してティッシュペーパーを取り出すことができる。【００１４】  請求項３記載の発明は、前記折り返し幅面（５Ａ）に爪受け緩衝折り曲げ部（２６Ａ）による爪受け緩衝片（２５Ａ）と、前記折り返し幅面（５Ｂ）に爪受け緩衝折り曲げ部（２６Ｂ）による爪受け緩衝片（２５Ｂ）を設けた構成のティッシュペーパー詰め替え収納箱を提供する。【００１５】  この構成によれば、前記天板部（１Ａ）と前記天板部（１Ｂ）の仮固定をより的確かつ外装的意匠を実現する。【００１６】  請求項４記載の発明は、前記爪受け緩衝片（２５Ａ）に接する底長面（８Ｂ）に爪受け緩衝片用底面ストッパー（２７Ｂ）と、前記爪受け緩衝片（２５Ｂ）に接する底長面（８Ａ）に爪受け緩衝片用底面ストッパー（２７Ａ）を設けた構成のティッシュペーパー詰め替え収納箱を提供する。【００１７】  この構成によれば、爪受け緩衝片（２５Ａ）（２５Ｂ）を貼付することなく、爪受け緩衝片用底面ストッパー（２７Ａ）（２７Ｂ）で固定することができる。
【発明の効果】
【００１８】  本発明は天板の開閉により無包装やフィルム包装のティッシュ積層体の詰め替えを極めて円滑容易にし、天板の位置を変える事によりティッシュペーパーの残量が少なくっても最後まで連続取り出しを可能にし、かつ、紙材と粘着剤のみの構成のため容易に折り畳みができ、繰り返し使用できることにより資源の保護にも寄与する。
【発明を実施するための最良の形態】
【００１９】  以下、本発明に係るティッシュペーパー詰め替え収納箱について図面を用いて説明する。図１は、本発明の全体を示す展開図であり、図２は本発明の折り畳み状態を示す参考図である。図３（ａ）（ｂ）は本発明の組み立て状態を示す参考図であり、図４は本発明の折り返し幅面（５Ａ）を示す参考断面図である。図５は本発明のティッシュペーパーを詰め替える状態を示す参考図で、図６は本発明の天板部（１Ａ）（１Ｂ）の位置を示す参考図である。図７は本発明のティッシュペーパーを取り出す状態を示す参考図である。【００２０】  尚、図２以降図説を明確にするために図面中片面のみ記載している符号については、図１の本発明の全体を示す展開図に明記している符号を参考に、側面張貼片（４）以外はそれぞれ相互に対峙する。【００２１】  図１の本発明の全体を示す展開図を参照しつつ説明する。それぞれ相互に対峙する２対の天板中央から分割開閉する天板部（１Ａ）にティッシュペーパー取り出し口（２１Ａを設け、前記天板部（１Ａ）の端所に爪（２２Ａ）と爪（２２Ａ´）を設け、同じく天板部（１Ｂ）に爪（２２Ｂ）と爪（２２Ｂ´）設け、折り返し幅面（５Ａ）には前記爪（２２Ａ）を挿通する爪受け孔（２３Ａ）と前記爪（２２Ｂ´）を挿通する爪受け孔（２３Ｂ´）を設け同じく折り返し幅面（５Ｂ）に前記爪（２２Ａ´）を挿通する爪受け孔（２３Ａ´）と記爪（２２Ｂ）を挿通する爪受け孔（２３Ｂ）を設け、前記折り返し幅面（５Ａの前記爪受け孔（２３Ａ）の下部に爪受け孔（２４Ａ）と前記爪受け孔（２３Ｂ´）の下部に爪受け孔（２４Ｂ´）を設け、同じく前記折り返し幅面（５Ｂ）の前記爪受け孔（２３Ａ´）の下部に爪受け孔（２４Ａ´）と前記爪受け孔（２３Ｂ）の下部に爪受け孔（２４Ｂ）を設け、前記折り返し幅面（５Ａ）に爪受け緩衝折り曲げ部（２６Ａ）による爪受け緩衝片（２５Ａ）と、前記折り返し幅面（５Ｂ）に爪受け緩衝折り曲げ部（２６Ｂ）による爪受け緩衝片（２５Ｂ）を設け、前記爪受け緩衝片（２５Ａ）に接する底長面（８Ｂ）に爪受け緩衝片用底面ストッパー（２７Ｂ）と、前記爪受け緩衝片（２５Ｂ）に接する底長面（８Ａ）に爪受け緩衝片用底面ストッパー（２７Ａ）を設けた構成となっている。【００２２】  図２は本発明の折り畳み状態を示す参考図である。底面張貼片（６Ａ）は底幅面（７Ａ）と、底面張貼片（６Ｂ）は底幅面（７Ｂ）と、張貼片（４）は幅側面（２Ａ）と貼付することにより、極めて薄く小さい構成となる。本発明は折り畳み状態で提供することも可能であり、処分廃棄する場合も同様に折り畳みすることが可能となる。【００２３】  図３は本発明の組み立て状態を示す参考図である。図２の状態から略立方形に形成するために、図３（ａ）ではそれぞれ底幅面（７Ａ）（７Ｂ）と底長面（８Ａ）（８Ｂ）を底部に押し下げ底面を構築する。図３（ｂ）は折り返し幅面（５Ａ）（５Ｂ）の爪受け緩衝折り曲げ部（２６Ａ）（２６Ｂ）の曲げ部分を曲げ、爪受け緩衝片（２５Ａ）（２５Ｂ）を底面に合わせる。前記爪受け緩衝片（２５Ａ）（２５Ｂ）は、貼付する事無く、爪受け緩衝片用底面ストッパー（２７Ａ）（２７Ｂ）により固定し、略立方形に形成された収納箱本体を構築する。【００２４】  図４は本���明の折り返し幅面（５Ａ）を示す参考断面図であり、図３をより詳しく補足するものである。図４（ａ）の折り返し幅面（５Ａ）は、爪受け緩衝折り曲げ部（２６Ａ）の曲げ部分を曲げ、爪受け緩衝片（２５Ａ）を底面に合わせ、底長面（８Ｂ）の爪受け緩衝片用底面ストッパー（２７Ａ）により固定した状態を示すものである。また、前記折り返し幅面（５Ａ）と幅側面（２Ａ）との隙間が構成され、前記天板部（１Ａ）の爪（２２Ａ）が爪受け孔（２３Ａ）に挿通する状態を示している。図４（ｂ）は、前記天板部（１Ａ）の爪（２２Ａ）が下段爪受け孔（２４Ａ）に挿通する前の状態を示し、折り返し幅面（５Ａ）が変形することにより、前記下段爪受け孔（２４Ａ）に挿通仮固定が容易となり、前記天板部（１Ａ）の動作がより的確となる。【００２５】  図５は本発明のティッシュペーパーを詰め替える状態を示す参考図である。積層されたティッシュ体（１０）を天板部（１Ａ）（１Ｂ）を開け上方から入れ、前記ティッシュ体（１０）を入れた後は、前記天板部（１Ａ）（１Ｂ）を閉じる。【００２６】  図６は本発明の天板部（１Ａ）（１Ｂ）の位置を示す参考図である。図６（ａ）は無包装やフィルム包装のティッシュ積層体を入れた後、それぞれ相互に対峙する２対の天板部（１Ａ）の端緒に設けられた爪（２２Ａ）（２２Ａ´）が折り返し幅面（５Ａ）の爪受け孔（２３Ａ）（２３Ａ´）に挿通して状態であり、同じく天板部（１Ｂ）の端緒に設けられた爪（２２Ｂ）（２２Ｂ´）が折り返し幅面（５Ｂ）の爪受け孔（２３Ｂ）（２３Ｂ´）に挿通し仮固定した状態である。【００２７】  図６（ｂ）は無包装やフィルム包装のティッシュ積層体の残量が少なくなった場合、天板部（１Ａ）（１Ｂ）の位置を下げて取り出し易くするもので、それぞれ相互に対峙する２対の天板部（１Ａ）の端緒に設けられた爪（２２Ａ）（２２Ａ´）が折り返し幅面（５Ａ）の爪受け孔（２４Ａ）（２４Ａ´）に挿通して状態であり、同じく天板部（１Ｂ）の端緒に設けられた爪（２２Ｂ）（２２Ｂ´）が折り返し幅面（５Ｂ）の爪受け孔（２４Ｂ）（２４Ｂ´）に挿通し、前記天板部（１Ａ）（１Ｂ）が下がった状態を示している。【００２８】  図７は本発明のティッシュペーパーを取り出す状態を示す参考図である。天板部（１Ａ）（１Ｂ）の開口部のティッシュペーパー取り出し口（２１Ａ）（２１Ｂ）からティッシュ体（１０）を取り出す状態を示している。
【実施例１】
【００２９】  無包装やフィルム包装のティッシュ積層体を上部から簡便に入れるため及び天板を仮固定するために、それぞれ相互に対峙する２対の天板中央から分割開閉する天板部（１Ａ）にティッシュペーパー取り出し口（２１Ａ）を設け、前記天板部（１Ａ）の端所に爪（２２Ａ）と爪（２２Ａ´）を設け、同じく天板部（１Ｂ）に爪（２２Ｂ）と爪（２２Ｂ´）設け、折り返し幅面（５Ａ）には前記爪（２２Ａ）を挿通する爪受け孔（２３Ａ）と前記爪（２２Ｂ´）を挿通する爪受け孔（２３Ｂ´）を設け同じく折り返し幅面（５Ｂ）に前記爪（２２Ａ´）を挿通する爪受け孔（２３Ａ´）と記爪（２２Ｂ）を挿通する爪受け孔（２３Ｂ）を設けた実施。
【実施例２】
【００３０】  無包装やフィルム包装のティッシュ積層体の残量が少なくなった場合、天板部（１Ａ）（１Ｂ）の位置を下げて取り出し易くするもので、それぞれ相互に対峙する２対の天板部（１Ａ）の端緒に設けられた爪（２２Ａ）（２２Ａ´）が折り返し幅面（５Ａ）の爪受け孔（２４Ａ）（２４Ａ´）に挿通して状態であり、同じく天板部（１Ｂ）の端緒に設けられた爪（２２Ｂ）（２２Ｂ´）が折り返し幅面（５Ｂ）の爪受け孔（２４Ｂ）（２４Ｂ´）に挿通し、前記天板部（１Ａ）（１Ｂ）が上下する実施。
【実施例３】
【００３１】  天板を仮固定する動きを円滑にするために、折り返し幅面（５Ａ）の爪受け緩衝折り曲げ部（２６Ａ）による爪受け緩衝片（２５Ａ）の設置と、前記折り返し幅面（５Ｂ）の爪受け緩衝折り曲げ部（２６Ｂ）による爪受け緩衝片（２５Ｂ）の設置による実施。
【実施例４】
【００３２】  爪受け緩衝片（２５Ａ）（２５Ｂ）の固定において、粘着剤を用いることなく、底長面（８Ａ）（８Ｂ）に連接される爪受け緩衝片用底面ストッパー（２７Ａ）（２７Ｂ）により固定する実施。【００３３】  以上のように本発明の実施形態によれば、無包装やフィルム包装のティッシュペーパー積層体の詰め替えを容易にし、ティッシュペーパーの残量が少なくなつても連続取り出しを可能にし、かつ、簡単な構造で繰り返し使用できる。【００３４】  尚、本発明の実施形態は限定されるものではなく、ティッシュペーパー以外の積層体の使用や、収納箱を紙製に限定するものではない。また、本発明は、本発明の精神を逸脱しない限り種々の改変を為すことができ、そして、本発明が該改変されたものに及ぶことは当然である。
【図面の簡単な説明】
【００３５】
【図１】本発明の展開図
【図２】本発明の折り畳み状態を示す参考図
【図３】本発明の組み立て状態を示す参考図
【図４】本発明の折り返し幅面（５Ａ）を示す参考断面図
【図５】本発明のティッシュペーパーを詰め替える状態を示す参考図
【図６】本発明の天板部（１Ａ）（１Ｂ）の位置を示す参考図
【図７】本発明のティッシュペーパーを取り出す状態を示す参考図
【符号の説明】
【００３６】１Ａ  天板部
１Ｂ  天板部
２Ａ  幅側面
２Ｂ  幅側面
３Ａ  長側面
３Ｂ  長側面
４  側面張貼片
５Ａ  折り返し幅面
５Ｂ  折り返し幅面
６Ａ  底面張貼片
６Ｂ  底面張貼片
７Ａ  底幅面
７Ｂ  底幅面
８Ａ  底長面
８Ｂ  底長面
９Ａ  天板折り曲げ部
９Ｂ  天板折り曲げ部
１０  ティッシュ体
２１Ａ  ティッシュペーパー取り出し口
２１Ｂ  ティッシュペーパー取り出し口
２２Ａ  爪
２２Ａ´  爪
２２Ｂ  爪
２２Ｂ´  爪
２３Ａ  爪受け孔
２３Ａ´  爪受け孔
２３Ｂ  爪受け孔
２３Ｂ´  爪受け孔
２４Ａ  爪受け孔
２４Ａ´  爪受け孔
２４Ｂ  爪受け孔
２４Ｂ´  爪受け孔
２５Ａ  爪受け緩衝片
２５Ｂ  爪受け緩衝片
２６Ａ  爪受け緩衝折り曲げ部
２６Ｂ  爪受け緩衝折り曲げ部
２７Ａ  爪受け緩衝片用底面ストッパー
２７Ｂ  爪受け緩衝片用底面ストッパー
【図１】
2011162259.tif 000003
【図２】
2011162259.tif 000004
【図３】
2011162259.tif 000005
【図４】
2011162259.tif 000006
【図５】
2011162259.tif 000007
【図６】
2011162259.tif 000008
【図７】
2011162259.tif 000009